(57)【要約】【課題】使用状態で、腕杆が、上方に回動して垂直状態になって落下し、洗濯物を汚したり、物干装置を壊したりすることがないようにする。【解決手段】本発明の物干装置は、被取付体であるベランダの手摺りに固定される取付具に、支柱１の後面側（取付側）を上下に摺動可能に取り付け、支柱１の上端部には蓋具３が固定され、さらに、この蓋具３が固定された支柱１に、腕杆２が回動可能かつ摺動可能に取り付けられている。腕杆２が、斜め上向きの状態が使用状態であり、腕杆２が上方へ回動して垂直状態になり下方へ移動した状態が収納状態である。そして、支柱１には、上部両側面に縦長の規制孔を設けてその規制孔の範囲内で上下動可能なあおり止具５を設けて成り、あおり止具５は、上方に移動すると腕杆２に係合し、腕杆２が使用状態から上方へ回動することができず、あおり止めの機能を発揮するようになっている。【選択図】図３
2010188020.tif 000002
【特許請求の範囲】
【請求項１】
ベランダの手摺り等の被取付体に直接又は間接的に取り付けられる支柱と、竿受部を有する腕杆とを具備して成り、腕杆は、支柱に対して回動可能かつ摺動可能で、斜め上に傾斜した状態又は水平状態の少なくともいずれか一方の使用状態に設定することができると共に、略垂直状態の収納状態に設定することができる物干装置において、支柱に、あおり止具を移動可能に設けて成り、あおり止具は、腕杆の基端部と係合して腕杆の上方への回動を不能にする状態と、腕杆と係合せず腕杆の上方への回動を可能にする状態とに変更することができるように構成したことを特徴とする物干装置。
【発明の詳細な説明】
【技術分野】
【０００１】
本発明は、ベランダの手摺り等に取り付けて、物干竿を挿通して使用する物干装置に関するものである。
【背景技術】
【０００２】
従来より、特願平９−１２１６４５号（特開平１０−２９５９９６号）発明のように、ベランダの手摺り等の被取付体に取り付けられる支柱と、竿受部を有する腕杆とを具備して成り、腕杆は、支柱に対して回動可能かつ摺動可能で、斜め上に傾斜した状態の使用状態に設定することができ、腕杆を上方へ回動して垂直状態にし、その後下方に摺動して、垂直状態の収納状態に設定することができる物干装置は提案されている。
【先行技術文献】
【特許文献】
【０００３】
【特許文献１】特開平１０−２９５９９６号公報
【発明の概要】
【発明が解決しようとする課題】
【０００４】
上記従来例においては、あおり止具が設けられていないので、使用状態で、物干竿にシーツ等の表面積の大きい洗濯物を干すと、強風が吹いた時に大きい力を受けてあおられ、腕杆は、上方に回動して垂直状態になってしまうことがあり、下方に摺動して落下し、洗濯物を汚したり、腕杆が上方へ勢いよく回動することによって物干装置を壊したりするという問題があり、本発明は、この問題を解決することを課題としている。
【課題を解決するための手段】
【０００５】
本発明は、上記の課題を解決するための物干装置であり、ベランダの手摺り等の被取付体に直接又は間接的に取り付けられる支柱と、竿受部を有する腕杆とを具備して成り、腕杆は、支柱に対して回動可能かつ摺動可能で、斜め上に傾斜した状態又は水平状態の少なくともいずれか一方の使用状態に設定することができると共に、略垂直状態の収納状態に設定することができる物干装置において、支柱に、あおり止具を移動可能に設けて成り、あおり止具は、腕杆の基端部と係合して腕杆の上方への回動を不能にする状態と、腕杆と係合せず腕杆の上方への回動を可能にする状態とに変更することができるように構成したことを特徴とする物干装置である。
【発明の効果】
【０００６】
以上のように本発明によれば、あおり止具によって腕杆の上方への回動を不能にすることができるので、使用中に洗濯物が風であおられても、腕杆が上方へ回動することがなく、腕杆が下方に摺動して洗濯物を汚したり、腕杆が上方へ勢いよく回動することによって物干装置を壊したりすることがないという効果がある。
【図面の簡単な説明】
【０００７】
【図１】腕杆が斜め上向きの使用状態を示す側面図である。
【図２】腕杆の収納状態を示す側面図である。
【図３】図１の要部拡大断面図であり、腕杆が上方へ回動できない状態を示している。
【図４】図３と同様の要部拡大断面図であり、腕杆が上方へ回動できる状態を示している。
【図５】図３と同様の要部拡大断面図であり、腕杆を上方に回動して垂直になった状態を示している。
【図６】図２の要部拡大断面図であり、腕杆の収納状態を示している。
【図７】図３と同様の要部拡大断面図であり、腕杆が回動している途中の状態を示している。
【図８】あおり止具と受止具の分解斜視図である。
【図９】あおり止具の本体、受止具及び圧縮ばねを一体化した状態の斜視図である。
【実施例１】
【０００８】
図１〜図９に基づいて本発明の実施例１を説明する。
本発明の物干装置は、被取付体であるベランダの手摺りＴに固定される取付具４に、支柱１の後面側（取付側）を上下に摺動可能に取り付け、支柱１の上端部には蓋具３が固定され、さらに、この蓋具３が固定された支柱１に、腕杆２が回動可能かつ摺動可能に取り付けられている。腕杆２が、斜め上向きの状態が使用状態（図１参照）であり、腕杆２が上方へ回動して垂直状態になり下方へ移動した状態が収納状態（図２参照）である。
【０００９】
支柱１には、上部両側面に縦長の規制孔２０・２０を設けてその規制孔２０・２０の範囲内で上下動可能なあおり止具５を設けて成り、あおり止具５は、上方に移動すると腕杆２に係合し、腕杆２が使用状態から上方へ回動することができず、あおり止めの機能を発揮するようになっており、下方に移動すると腕杆２との係合は解除され、腕杆２が使用状態から上方へ回動することができるようになっている。
【００１０】
支柱１は、押し出し材であって、前面側（取付側と反対側）には、前方に開口し、前端部に内向きに突出し間隔をおいて相対向する一対の対向突起部１５・１５を設けた略蟻溝状で、垂直状態となった腕杆２が上下摺動するガイド部６を設けて成る。このガイド部６の下方部には、腕杆２の下方への摺動を停止させる停止具９を固定してある。また、支柱１のガイド部６の上部後方には、断面円形ピンのストッパー８及びその少し下方に受止具７が固定されており、このストッパー８と受止具７に腕杆２の基端部が当接して腕杆２を斜め上に傾斜した使用状態に設定することができる（図３及び図４参照）。
【００１１】
蓋具３は、上方の一部及び前方が開口し、上方の開口部は、垂直状態となった腕杆２が上下摺動し、前方の開口部には、内向きに突出し間隔をおいて相対向する一対の外止部１１・１１を設けて成り、後述する腕杆２の突条部１４・１４が前方に外れるのを阻止している。上方の開口部及び外止部１１・１１は、腕杆２が摺接するので、合成樹脂製の案内カバー１０が取り付けてある。
【００１２】
腕杆２は、複数の竿受部１２・・・１２を設けると共に、周縁両側面に厚み方向に突出する突条部１４・１４を設けてある。腕杆２の突条部１４・１４は、基端終端部の一部両側面を切り欠いて切欠部１６・１６を設けてある。また、腕杆２には、突条部１４・１４の基端部上部に突条部１４・１４よりもさらに厚み方向に突出する円形の案内突起１３・１３を両面に設けてある。案内突起１３・１３は、支柱１のガイド部６を摺接するので合成樹脂製のキャップを被せてある。
【００１３】
受止具７は、縦長の厚板状で、略下半部に後方に開口するコ字状の開口凹部２１を設け、開口凹部２１上部の後端面には、２箇所にねじ孔２２・２２を設けてある。
【００１４】
あおり止具５は、支柱１内に摺動可能に設けられる本体１７に、別体で支柱１の外に設けられる操作具１８・１８を取り付けて成るものである。
本体１７は、受止具７の厚さと同程度の間隔をあけて２枚の縦長の厚板を相対向して設けて下端部で繋がれ、支柱１内に挿入して設けられるものであり、２枚の厚板には、上端部に前方に下り傾斜している傾斜面２６・２６を設けると共にその上端部に斜め上後方に、向いている鉤状凹部の受部２９・２９を設けてある。また、本体１７の２枚の厚板には、それぞれ外面の相対応する位置にねじ孔２３・２３を設けてある。
【００１５】
操作具１８は、裏面中央に断面小判状の摺動突起２４を設けると共に、その中央に表裏を貫通する取付用孔２７を設けてあり、取付ねじ２８を表面から操作具１８の取付用孔２７を通して本体１７のねじ孔２３に螺合して締め付けると、本体１７と操作具１８・１８が一体化するようになっている。
【００１６】
受止具７をあおり止具５の本体１７である２枚の厚板の間に挿入し、受止具７の開口凹部２１の底面とあおり止具５の下端面との間に圧縮ばね１９を設けて、受止具７とあおり止具５の本体１７を一体化する。あおり止具５の本体１７は、受止具７に対して、上下に移動可能で、圧縮ばね１９の力で常に上方に付勢されている。
【００１７】
この受止具７とあおり止具５の本体１７が一体化されたものを、支柱１上部から内部に挿入し、支柱１後端部の外側から取付ねじ２５・２５を受止具７のねじ孔２２・２２に螺合して受止具７を固定し、支柱１両側の規制孔２０・２０から操作具１８・１８の摺動突起２４・２４を挿通し、取付ねじ２８・２８を操作具１８の取付用孔２７・２７を通して本体１７のねじ孔２３・２３に螺合して通常の力で締め付けて、本体１７と操作具１８・１８を一体化してあおり止具５とする。
【００１８】
この状態では、操作具１８・１８の摺動突起２４・２４は、規制孔２０・２０の最上部に位置しており、この規制孔２０・２０の範囲内であおり止具５は上下に移動可能となっている。そしてその後、腕杆２を垂直状態にして、支柱１の上方から案内突起１３をガイド部６に挿入し、ストッパー８を固定し、さらに蓋具３を固定して組み立てる。
【００１９】
上述したように取付ねじ２８を通常の力で締め付けると、本体１７と操作具１８・１８が一体化したあおり止具５は、支柱１に対して上下に移動可能な状態となっているが、取付ねじ２８を強い力で締め付けると、本体１７と操作具１８・１８が支柱１を強く挟んで摩擦力で支柱１に対して移動不能な状態とすることができるようになっている。
【００２０】
腕杆２を垂直状態で下方に移動させると、案内突起１３・１３がガイド部６内を摺動し、なおかつ、突条部１４・１４の外側が蓋具３の上方の開口部の終端部に当接すると共に、突条部１４・１４の内側が蓋具３の外止部１１・１１に当接して、腕杆２は案内され、その下端部が停止具９に当接して収納状態となる（図６参照）。
【００２１】
この収納状態から腕杆２を上方に移動させて、案内突起１３・１３が蓋具３の案内カバー１０に当接すると、腕杆２は回動が可能な状態となる。この状態から腕杆２を下方に回動すると、その基端部の突条部１４・１４があおり止具５本体１７の傾斜面２６・２６に当接して押圧し、あおり止具５は、圧縮ばね１９の弾性力に抗し下方へ摺動する（図７参照）。
【００２２】
そしてさらに腕杆２を下方に回動してあおり止具５の本体１７が腕杆２の切欠部１６・１６に達すると、あおり止具５は、圧縮ばね１９の弾性力によって上方に移動し、あおり止具５は、その受部２９・２９が腕杆２の基端終端部の突条部１４・１４と係合して腕杆２の上方への回動を不能にする状態となり、同時に、腕杆２の基端終端部が受止具７に当接すると共に、基端部の上縁部がストッパー８に当接して、腕杆２を斜め上に傾斜した使用状態に設定することができる（図３参照）。
【００２３】
腕杆２は、その基端部がストッパー８と受止具７に当接して斜め上に傾斜した使用状態に設定することができるものであり、使用時の大きな荷重を受けるのはストッパー８と受止具７であって、あおり止具５は、単に腕杆２の上方への回動を不能にする機能を有するだけなので、大きな強度を必要とするものではない。
【００２４】
この実施例では、腕杆２を使用状態に設定すると、あおり止具５は、自動的に腕杆２の基端部と係合して腕杆２の上方への回動を不能にする状態となるので、あおり止具５を機能させるのに面倒な操作をする必要がなく便利であるし、あおり止具５を機能させるのを忘れる心配がなく安全である。
【００２５】
そして、この状態で腕杆２が上方に回動しようとすると、腕杆２両面の基端終端部の突条部１４・１４が、あおり止具５の本体１７・１７の受部２９・２９に当接するので、腕杆２は、上方への回動が不能な状態であり、竿受部１２に物干竿が掛けられ、そこにシーツ等の表面積の大きい洗濯物が干してあって、強風が吹いてあおられたとしても、腕杆２は、上方に回動することがなく、下方に摺動して落下して、洗濯物が汚れたり、物干装置が壊れたりするという事故を未然に防ぐことができる。
【００２６】
腕杆２を垂直状態に収納するには、操作具１８・１８を操作してあおり止具５を下方に移動させてあおり止具５と腕杆２の係合を解除すると（図４参照）、腕杆２は、斜め上向きの使用状態から、案内突起１３・１３を中心にして上方に回動可能な状態となる。そして、腕杆２を上方に回動すると、突条部１４・１４の外側が蓋具３の上方の開口部の終端部に当接すると共に、突条部１４・１４の内側が蓋具３の外止部１１・１１に当接して、腕杆２は垂直状態になり（図５参照）、そのまま下方に移動すると、腕杆２の基端部が停止具９に当接して収納状態となる（図６参照）。
【００２７】
また、物干装置が取り付けられる場所によっては、洗濯物に強風が当たってあおられる心配がなくあおり止めの機能を必要としない場所もあり、そういう場所にあっては、操作具１８・１８を操作してあおり止具５を下方に移動させて、取付ねじ２８を強い力で締め付けると、あおり止具５は、本体１７と操作具１８・１８が支柱１を強く挟んで摩擦力で支柱１に対して移動不能な状態となり、腕杆２の回動時にあおり止具５が腕杆２と接触しない位置に固定して維持することができ、あおり止めの機能はなくなるが、腕杆２を収納状態にするのに、いちいちあおり止具５の操作具１８・１８を操作する必要がなく煩わしさがなくなる。
【００２８】
つまり、本実施例においては、請求項１の発明の構成に加えて、あおり止具５を腕杆２と係合しない位置に維持することができる構成を有し、この構成とすることによって、発明の効果に記載した効果に加えて、あおり止めの機能を必要としない取付場所にあっては、使用状態と収納状態を変更する際に、いちいちあおり止具５の操作具１８・１８を操作する煩わしさがなくなるという効果を奏することができるものである。
【００２９】
なお、本実施例では、あおり止具５は、図５に示すように腕杆２が上方にあって垂直になっている状態から下方に回動すると、段落００２１及び００２２に記載したように、圧縮ばね１９の弾性力によって自動的に移動し、腕杆２の上方への回動を不能にする状態となり、腕杆２の上方への回動が可能な状態にするには、あおり止具５を手動で移動するようになっているが、腕杆２の上方への回動を不能にする状態と可能にする状態とを変更するのに、いずれも手動であおり止具５を移動させることによって行うような構成とすることもできる。この場合も、あおり止具５を腕杆２と係合しない位置に維持することができる。
【符号の説明】
【００３０】
１    支柱
２    腕杆
５    あおり止具
１２    竿受部
【図１】
2010188020.tif 000003
【図２】
2010188020.tif 000004
【図３】
2010188020.tif 000005
【図４】
2010188020.tif 000006
【図５】
2010188020.tif 000007
【図６】
2010188020.tif 000008
【図７】
2010188020.tif 000009
【図８】
2010188020.tif 000010
【図９】
2010188020.tif 000011